(57)【特許請求の範囲】
【請求項１】
情報を記憶するＩＣ回路部と情報を送受信するタグ側アンテナとを備えた無線タグ回路素子が配置されたタグ媒体を搬送するための搬送手段と、
前記搬送手段で搬送される前記タグ媒体又はこれに貼り合わされる被印字媒体に所定の印字を行う印字手段と、
前記無線タグ回路素子に無線通信によるアクセスを行うタグアクセス手段とを有し、
前記無線タグ回路素子のタグ識別情報を格納保持するデータベースと連携し、前記タグ識別情報をそれぞれ用いて複数の無線タグラベルを作成可能なタグラベル作成装置であって、
前記複数の無線タグラベルのうち１つの無線タグラベルを作成する際、前記データベース内の前記１つの無線タグラベルに対応する前記タグ識別情報の格納領域に関連づけて、前記複数の無線タグラベルのうち残りの無線タグラベルに対応する前記タグ識別情報の格納領域を前記データベース内に生成するための生成指示信号を出力する、領域生成指示手段を有する
ことを特徴とするタグラベル作成装置。
【請求項２】
請求項１記載のタグラベル作成装置において、
前記複数の無線タグラベルとして、最初に作成される前記１つの無線タグラベルとしての主タグラベルと、前記主ラベルの作成後に作成が予定される前記残りの無線タグラベルとしての少なくとも１つの従タグラベルとを作成可能に構成されており、
前記領域生成指示手段は、
前記主タグラベルを作成する際、前記主タグラベルに対応する主タグ識別情報の格納領域に関連づけて、前記従タグラベルに対応する従タグ識別情報の格納領域を前記データベース内に生成するための生成指示信号を出力する
ことを特徴とするタグラベル作成装置。
【請求項３】
請求項２記載のタグラベル作成装置において、
前記領域生成指示手段は、
前記複数のタグラベルそれぞれに対応する複数の前記タグ識別情報を一体的に格納する一体格納領域を生成するための前記生成指示信号を出力する
ことを特徴とするタグラベル作成装置。
【請求項４】
請求項２記載のタグラベル作成装置において、
前記領域生成指示手段は、
前記複数のタグラベルそれぞれに対応する複数の前記タグ識別情報を個別にそれぞれ格納する、互いに関連づけられた複数の個別格納領域を生成するための前記生成指示信号を出力する
ことを特徴とするタグラベル作成装置。
【請求項５】
請求項３又は請求項４記載のタグラベル作成装置において、
前記領域生成指示手段は、
前記主タグ識別情報であるか前記従タグ識別情報であるかの属性コードをそれぞれ含む複数の前記タグ識別情報を、前記データベースに格納するための前記生成指示信号を出力する
ことを特徴とするタグラベル作成装置。
【請求項６】
請求項３乃至請求項５のいずれか１項記載のタグラベル作成装置において、
特許出願の明細書作成時における複数の作業手順の時間的順序に沿い、各作業手順にそれぞれ対応した前記複数の無線タグラベルを作成可能に構成されている
ことを特徴とするタグラベル作成装置。
【請求項７】
請求項６記載のタグラベル作成装置において、
作成される無線タグラベルが、前記複数の作業手順の時間的順序に沿ったものとなっているかどうかを判定する判定手段を有する
ことを特徴とするタグラベル作成装置。
【請求項８】
情報を記憶するＩＣ回路部と情報を送受信するタグ側アンテナとをそれぞれ備えた複数の前記無線タグ回路素子のタグ識別情報を格納保持したデータベースと、
前記無線タグ回路素子が配置されたタグ媒体を搬送するための搬送手段、前記搬送手段で搬送される前記タグ媒体又はこれに貼り合わされる被印字媒体に所定の印字を行う印字手段、前記無線タグ回路素子にアクセスを行うタグアクセス手段、及び、１つの主タグラベルを作成する際、前記データベース内の対応する主タグ識別情報の格納領域に関連づけて、少なくとも１つの従タグラベルに対応する従タグ識別情報の格納領域を前記データベース内に生成するための生成指示信号を出力する領域生成指示手段を有するタグラベル作成装置と
を有し、
複数の作業手順の時間的順序に沿い、各作業手順にそれぞれ対応し、前記主タグラベルを作成し、その後前記従タグラベルを作成する
ことを特徴とする書類処理進捗管理システム。
【請求項９】
請求項８記載の書類処理進捗管理システムにおいて、
特許出願の明細書作成時における複数の作業手順の時間的順序に沿い、各作業手順にそれぞれ対応し、前記主タグラベルを作成し、その後前記従タグラベルを作成する
ことを特徴とする書類処理進捗管理システム。
【請求項１０】
請求項９記載の書類処理進捗管理システムにおいて、
作成された前記主タグラベル又は従タグラベルに備えられた前記無線タグ回路素子を、対応する前記主タグ識別情報又は前記従タグ識別情報に基づき無線通信を介して探索する無線探索装置を有する
ことを特徴とする書類処理進捗管理システム。
【請求項１１】
請求項１０記載の書類処理進捗管理システムにおいて、
前記タグラベル作成装置は、
前記無線探索装置が前記主タグラベル又は前記従タグラベルの前記無線タグ回路素子を探索しアクセスに成功したとき、その無線タグ回路素子の記憶情報と同等の記憶情報を別の無線タグ回路素子に書き込んだ新たな無線タグラベルを作成するように、前記搬送手段、前記印字手段、前記タグアクセス手段を連携して制御する複製用連携制御手段を有する
ことを特徴とする書類処理進捗管理システム。
【請求項１２】
請求項１０又は請求項１１記載の書類処理進捗管理システムにおいて、
前記データベース内に格納保持された、前記タグラベル作成装置で前記主タグラベル又は前記従タグラベルが作成された複数の前記特許出願を特定する出願識別情報、及び、それぞれに対応した前記複数の作業手順の進捗情報を一覧表示する表示手段を有する
ことを特徴とする書類処理進捗管理システム。
【発明の詳細な説明】
【技術分野】
【０００１】
本発明は、情報を記憶するＩＣ回路部と情報を送受信するタグ側アンテナとを備えた無線タグ回路素子を有する無線タグラベルを作成するためのタグラベル作成装置、及びこのタグラベル作成装置を備えた書類処理進捗管理システムに関する。
【背景技術】
【０００２】
近年、所定の無線タグ情報を記憶するＩＣ回路部とこのＩＣ回路部に接続されて情報の送受信を行うアンテナとを備えた無線タグ回路素子を有する小型の無線タグとリーダ（読み取り装置）／ライタ（書き込み装置）との間で非接触で情報の読み取り／書き込みを行うＲＦＩＤ（Radio  Frequency  Identification）システムが提唱されており、様々な分野において実用化されつつある。
【０００３】
上記ＲＦＩＤシステムの従来技術として、例えば特許文献１に記載のものがある。この従来技術では、書類に無線タグラベル（ＲＦＩＤタグ）を取り付けるとともに、その無線タグラベルが有する無線タグ回路素子のタグ識別情報（タグ識別子）と書類情報とを関連付けてデータベースに格納する。さらに、ワークフローの領域近辺に複数のリーダ（センサ）が設けられており、これら各リーダの場所も事前にデータベースに登録されている。これにより、書類に取り付けられた無線タグラベルのタグ識別情報がリーダで読み取られると、そのタグ識別情報と書類情報、及び場所が対応付けられ、書類の場所が把握できるようになっている。このようにして、書類の物理的な動きを追跡可能としている。
【０００４】
【特許文献１】特開２００４−１５２２５８号公報
【発明の開示】
【発明が解決しようとする課題】
【０００５】
一般に業務の進行においては、複数の作業手順が並行して進捗する。したがって、業務を効果的に管理するには、複数の作業手順の進捗状況を一元管理する必要がある。このとき、上記従来技術のシステムでは、業務の進行に伴って作成される書類の物理的な動きを追跡することは可能であるが、その書類の動きにより作業手順が進捗しても、その進捗状況を把握することができなかった。
【０００６】
本発明の目的は、複数の作業手順の進捗状況を、無線タグラベルの発行及びその無線タグ回路素子に対する情報読み取りの実行によって一元管理することができるタグラベル作成装置及び書類処理進捗管理システムを提供することにある。
【課題を解決するための手段】
【０００７】
上記目的を達成するために、第１の発明は、情報を記憶するＩＣ回路部と情報を送受信するタグ側アンテナとを備えた無線タグ回路素子が配置されたタグ媒体を搬送するための搬送手段と、前記搬送手段で搬送される前記タグ媒体又はこれに貼り合わされる被印字媒体に所定の印字を行う印字手段と、前記無線タグ回路素子に無線通信によるアクセスを行うタグアクセス手段とを有し、前記無線タグ回路素子のタグ識別情報を格納保持するデータベースと連携し、前記タグ識別情報をそれぞれ用いて複数の無線タグラベルを作成可能なタグラベル作成装置であって、前記複数の無線タグラベルのうち１つの無線タグラベルを作成する際、前記データベース内の前記１つの無線タグラベルに対応する前記タグ識別情報の格納領域に関連づけて、前記複数の無線タグラベルのうち残りの無線タグラベルに対応する前記タグ識別情報の格納領域を前記データベース内に生成するための生成指示信号を出力する、領域生成指示手段を有することを特徴とする。
【０００８】
本願第１発明においては、搬送手段でタグ媒体が搬送され、このタグ媒体（又は被印字媒体）に対し印字手段で所定の印字が行われ、タグ媒体に備えられた無線タグ回路素子に対しタグアクセス手段で無線通信によるアクセス（情報読み取り又は情報書き込み）が行われ、無線タグラベルを作成する。このとき、データベースと連携するようになっており、無線タグラベルに備えられる無線タグ回路素子の識別情報は、データベースに格納保持される。
【０００９】
ここで、複数の無線タグラベルの作成時には、最初に１つの無線タグラベルを作成するときに、領域生成指示手段により、その１つの無線タグラベルの無線タグ回路素子の識別情報に対し、この後作成される予定の残りの無線タグラベルの無線タグ回路素子の識別情報の格納領域が、データベース内に予め生成される。この結果、複数の無線タグラベルの作成を予め予定した形で、それら複数の無線タグラベル同士を無線タグ回路素子の識別情報どうしで互いに関連づけることが可能となる。これにより、例えば時間的に所定の順序で行われる複数の作業手順のそれぞれに各無線タグラベルを対応づける（例えば各作業手順が終了するごとに無線タグラベルを作成する）ことで、それら複数の作業手順の進捗状況を、無線タグラベルの発行及びその無線タグ回路素子に対する情報読み取りの実行によって一元管理することが可能となる。これにより、進捗状況を段階的に容易に把握することができ、また進捗状況情報を容易に共有することも可能である。
【００１０】
第２の発明は、上記第１発明において、前記複数の無線タグラベルとして、最初に作成される前記１つの無線タグラベルとしての主タグラベルと、前記主ラベルの作成後に作成が予定される前記残りの無線タグラベルとしての少なくとも１つの従タグラベルとを作成可能に構成されており、前記領域生成指示手段は、前記主タグラベルを作成する際、前記主タグラベルに対応する主タグ識別情報の格納領域に関連づけて、前記従タグラベルに対応する従タグ識別情報の格納領域を前記データベース内に生成するための生成指示信号を出力することを特徴とする。
【００１１】
複数の無線タグラベルを、主タグラベル→従タグラベルの順で作成するときに、最初の主タグラベル作成時に、領域生成指示手段により、データベース内に、主タグ識別情報の格納領域に関連づけて従タグ識別情報の格納領域が生成される。これにより、主タグラベルに続く従タグラベルの作成を予め予定した形で、それら無線タグラベル同士を無線タグ回路素子の識別情報どうしで互いに関連づけることが可能となる。この結果、例えば時間的に所定の順序で行われる複数の作業手順のそれぞれに主タグラベル及び従タグラベルを対応づけることで、それら複数の作業手順の進捗状況を、主・従タグラベルの発行及びその無線タグ回路素子に対する情報読み取りの実行によって一元管理することが可能となる。
【００１２】
第３の発明は、上記第２発明において、前記領域生成指示手段は、前記複数のタグラベルそれぞれに対応する複数の前記タグ識別情報を一体的に格納する一体格納領域を生成するための前記生成指示信号を出力することを特徴とする。
【００１３】
主タグラベルの主タグ識別情報と従タグラベルの従タグ識別情報とを、データベースの一体格納領域に一体的に格納することで、主タグラベル及び従タグラベルを無線タグ回路素子の識別情報どうしで互いに関連づけることができる。
【００１４】
第４の発明は、上記第２発明において、前記領域生成指示手段は、前記複数のタグラベルそれぞれに対応する複数の前記タグ識別情報を個別にそれぞれ格納する、互いに関連づけられた複数の個別格納領域を生成するための前記生成指示信号を出力することを特徴とする。
【００１５】
主タグラベルの主タグ識別情報と従タグラベルの従タグ識別情報とを、データベースの個別格納領域に個別に格納する。これによっても、主タグラベル及び従タグラベルを無線タグ回路素子の識別情報どうしで互いに関連づけることができる。また、主タグ識別情報と従タグ識別情報とを一体的な領域に格納せず互いに関連づけた形で別々の領域に格納することにより、一体的な領域に格納する場合よりも格納場所や格納態様の自由度を広げることができる。
【００１６】
第５の発明は、上記第３又は第４発明において、前記領域生成指示手段は、前記主タグ識別情報であるか前記従タグ識別情報であるかの属性コードをそれぞれ含む複数の前記タグ識別情報を、前記データベースに格納するための前記生成指示信号を出力することを特徴とする。
【００１７】
主タグ識別情報か従タグ識別情報かを区別する属性コードを設けることで、タグ識別情報のうちその部分だけを識別するだけで主タグラベルであるか従タグラベルであるかを容易に判別することができる。またタグ識別情報のうち、属性コード部分以外は同一基準・態様で付与することが可能となり、タグ識別情報管理の簡素化・容易化を図ることもできる。
【００１８】
第６の発明は、上記第３乃至第５発明のいずれかにおいて、特許出願の明細書作成時における複数の作業手順の時間的順序に沿い、各作業手順にそれぞれ対応した前記複数の無線タグラベルを作成可能に構成されていることを特徴とする。
【００１９】
これにより、複数の作業手順を経て実行される特許出願明細書の作成に関し、各作業手順に対応した無線タグラベルの発行及びその無線タグ回路素子に対する情報読み取りの実行により、進捗状況を一元管理することができる。
【００２０】
第７の発明は、上記第６発明において、作成される無線タグラベルが、前記複数の作業手順の時間的順序に沿ったものとなっているかどうかを判定する判定手段を有することを特徴とする。
【００２１】
これにより、例えば作業手順の時間的順序に合致しない無線タグラベルが作成されようとした場合には、その旨を操作者に報知する等が可能となる。
【００２２】
上記目的を達成するために、第８の発明は、情報を記憶するＩＣ回路部と情報を送受信するタグ側アンテナとをそれぞれ備えた複数の前記無線タグ回路素子のタグ識別情報を格納保持したデータベースと、前記無線タグ回路素子が配置されたタグ媒体を搬送するための搬送手段、前記搬送手段で搬送される前記タグ媒体又はこれに貼り合わされる被印字媒体に所定の印字を行う印字手段、前記無線タグ回路素子にアクセスを行うタグアクセス手段、及び、１つの主タグラベルを作成する際、前記データベース内の対応する主タグ識別情報の格納領域に関連づけて、少なくとも１つの従タグラベルに対応する従タグ識別情報の格納領域を前記データベース内に生成するための生成指示信号を出力する領域生成指示手段を有するタグラベル作成装置とを有し、複数の作業手順の時間的順序に沿い、各作業手順にそれぞれ対応し、前記主タグラベルを作成し、その後前記従タグラベルを作成することを特徴とする。
【００２３】
本願第８発明の書類処理進捗管理システムでは、タグラベル作成装置において、搬送手段でタグ媒体が搬送され、このタグ媒体（又は被印字媒体）に対し印字手段で所定の印字が行われ、タグ媒体に備えられた無線タグ回路素子に対しタグアクセス手段で無線通信によるアクセス（情報読み取り又は情報書き込み）が行われ、無線タグラベルを作成する。このとき、タグラベル作成装置はデータベースと連携するようになっており、無線タグラベルに備えられる無線タグ回路素子の識別情報がデータベースに格納保持される。
【００２４】
このとき、タグラベル作成装置は、複数の作業手順の時間的順序に沿い、各作業手順にそれぞれ対応し、複数の無線タグラベルを、主タグラベル→従タグラベルの順で作成する。そして、最初の主タグラベル作成時に、領域生成指示手段により、データベース内に、主タグ識別情報の格納領域に関連づけて従タグ識別情報の格納領域が生成される。これにより、主タグラベルに続く従タグラベルの作成を予め予定した形で、それら無線タグラベル同士を無線タグ回路素子の識別情報どうしで互いに関連づけることが可能となる。この結果、複数の作業手順を経て実行される事象に関し、各作業手順に対応した主・従タグラベルの発行及びその無線タグ回路素子に対する情報読み取りの実行により、進捗状況を一元管理することができる。これにより、作業の進捗状況を段階的に容易に把握することができ、また進捗状況情報を容易に共有することも可能である。
【００２５】
第９の発明は、上記第８発明において、特許出願の明細書作成時における複数の作業手順の時間的順序に沿い、各作業手順にそれぞれ対応し、前記主タグラベルを作成し、その後前記従タグラベルを作成することを特徴とする。
【００２６】
これにより、特許出願明細書の作成作業の進捗状況を段階的に容易に把握することができ、また進捗状況情報を容易に共有することも可能である。
【００２７】
第１０の発明は、上記第９発明において、作成された前記主タグラベル又は従タグラベルに備えられた前記無線タグ回路素子を、対応する前記主タグ識別情報又は前記従タグ識別情報に基づき無線通信を介して探索する無線探索装置を有することを特徴とする。
【００２８】
これにより、例えば主タグラベルや従タグラベルを対応する特許出願明細書（又はそれを収納したファイル等）に設けておけば、無線探索装置で主タグ識別情報（又は従タグ識別情報）をキーに探索することで、その特許出願明細書の現実の存在位置を探し出すことが可能となる。
【００２９】
第１１の発明は、上記第１０発明において、前記タグラベル作成装置は、前記無線探索装置が前記主タグラベル又は前記従タグラベルの前記無線タグ回路素子を探索しアクセスに成功したとき、その無線タグ回路素子の記憶情報と同等の記憶情報を別の無線タグ回路素子に書き込んだ新たな無線タグラベルを作成するように、前記搬送手段、前記印字手段、前記タグアクセス手段を連携して制御する複製用連携制御手段を有することを特徴とする。
【００３０】
これにより、既に作成された主タグラベル又は従タグラベルと同等の機能を備えた複製ラベルを作成することができる。この結果、例えば主タグラベルや従タグラベルを対応する特許出願明細書（又はそれを収納したファイル等）に設けるとき、その複数箇所に分散して設けることで無線タグ回路素子に対する読み取りをより容易に実行可能となる。
【００３１】
第１２の発明は、上記第１０又は第１１発明において、前記データベース内に格納保持された、前記タグラベル作成装置で前記主タグラベル又は前記従タグラベルが作成された複数の前記特許出願を特定する出願識別情報、及び、それぞれに対応した前記複数の作業手順の進捗情報を一覧表示する表示手段を有することを特徴とする。
【００３２】
これにより、複数の特許出願明細書それぞれの作業進捗情報を一覧表示させ、作業進捗状況を容易に把握することができる。
【発明の効果】
【００３３】
本発明によれば、複数の作業手順の進捗状況を一元管理することができる。
【発明を実施するための最良の形態】
【００３４】
以下、本発明の一実施の形態を図面を参照しつつ説明する。本実施形態は、本発明の書類処理進捗管理システムを特許進捗を管理する特許進捗管理システムに適用した例である。
【００３５】
図１は、本実施形態のタグラベル作成装置を備えた特許進捗管理システムを表すシステム構成図である。
【００３６】
図１に示すこの特許進捗管理システムＰＳは、無線タグ情報の送受信を行うためのタグ側アンテナ１５１及びこれに接続され無線タグ情報を記憶可能なＩＣ回路部１５０により構成される無線タグ回路素子Ｔo（後述の図４参照）を有する無線タグラベルＴを作成するタグラベル作成装置１００と、このタグラベル作成装置１００と有線あるいは無線による通信回線ＮＷを介して接続されたサーバ２００及びＰＣ（Personal  Computer）３００と、このＰＣ３００に接続され、作成された上記無線タグラベルＴと無線通信を行い無線タグ回路素子ＴoのＩＣ回路部１５０から無線タグ情報の読み取りを行うリーダ４００とを有している。上記ＰＣ３００は、液晶ディスプレイ等の表示部３０１及びキーボードやマウス等の操作部３０２を有しており、後述する各作業手順を行う際に操作者が表示部３０１を介して情報を閲覧したり、操作部３０２を用いて情報の入力を行うことが可能である。なお、ここでは煩雑防止のためＰＣ３００を１台のみ図示しているが、実際には複数のＰＣ３００が通信回線ＮＷに接続されており、各ＰＣ３００の操作者がサーバ２００及びタグラベル作成装置１００を共有可能となっている。
【００３７】
図２は、上記特許進捗管理システムＰＳのシステム構成を表すシステム構成図である。なお、図中に示す矢印は信号の流れの一例を示すものであり、信号の流れ方向を限定するものではない。
【００３８】
上記サーバ２００は、サーバ２００全体の制御を行う制御回路２０１と、この制御回路２０１と上記タグラベル作成装置１００やＰＣ３００との間で通信回線ＮＷを介して行われるネットワーク通信を行うためのインターフェース２０２と、各特許案件の案件情報（発明の名称、代表発明者等）や進捗情報、これらと関連付けられた無線タグ回路素子ＴoのタグＩＤ（タグ識別情報）等の情報が格納されるデータベース２０３（ハードディスク等で構成される）とを有している。
【００３９】
上記ＰＣ３００（進捗表示装置）は、各種表示を行う上記表示部３０１と、操作者が各種操作入力を行うための上記操作部３０２と、上記リーダ４００の高周波回路４０２と情報の入出力を行うと共に、ＰＣ３００全体の制御を行う制御回路３０３と、この制御回路３０３と上記タグラベル作成装置１００や上記サーバ２００の制御回路２０１と通信回線ＮＷを介して行われるネットワーク通信を行うためのインターフェース３０４とを有する。
【００４０】
上記リーダ４００（無線探索装置、読み取り装置）は、無線タグラベルＴに備えられる無線タグ回路素子Ｔoのタグ側アンテナ１５１との間で無線通信により信号の授受を行うアンテナ４０１と、このアンテナ４０１を介し上記無線タグ回路素子ＴoのＩＣ回路部１５０へ無線通信によりアクセスし、その無線タグ回路素子Ｔoから読み出された信号を処理する上記高周波回路４０２とを有している。このリーダ４００は操作者が手に携帯しやすい大きさとなっており、ＰＣ３００と接続された状態で所定の範囲内において操作者が携帯して移動することが可能なように構成されている。
【００４１】
なお、上記ＰＣ３００とリーダ４００とが、特許請求の範囲各項記載の進捗管理システムを構成する。
【００４２】
図３は、上記タグラベル作成装置１００の詳細構成を表す構成図である。なお、図中に示す矢印は信号の流れの一例を示すものであり、信号の流れ方向を限定するものではない。
【００４３】
タグラベル作成装置１００は、所定間隔で無線タグ回路素子Ｔoが備えられたタグテープ１０３（タグ媒体）を巻回したタグテープロール１０４（本来は渦巻き状であるが簡略化して同心円で図示している）を着脱可能な（又はタグテープロール１０４を備えたカートリッジを着脱可能な）タグテープロールホルダ部１１０と、このタグテープロール１０４から繰り出されたタグテープ１０３のうち上記無線タグ回路素子Ｔoに対応した領域に所定の印字を行う印字ヘッド１０５（印字手段）と、無線タグ回路素子Ｔoとの間で無線通信により情報の送受信を行うアンテナ１０６と、高周波回路１０１及び制御回路１０２と、上記サーバ２００及びＰＣ３００との間で通信回線ＮＷを介して行われるネットワーク通信を行うためのインターフェース１０８と、タグテープ１０３への印字及び無線タグ回路素子Ｔoへの上記情報書き込みが終了したタグテープ１０３を所定の長さに切断して無線タグラベルＴとするカッタ１０７と、印字ヘッド１０５に対向して設けられ、制御回路１０２により制御されてタグテープ１０３を搬送する搬送装置１０９（搬送手段）とを有する。
【００４４】
高周波回路１０１及び制御回路１０２は、無線タグ回路素子ＴoのＩＣ回路部１５０へのアクセス情報を生成し、アンテナ１０６を介して無線タグ回路素子Ｔoへ送信し、無線タグ回路素子ＴoのＩＣ回路部１５０へ情報書き込みを行う。なお、上記高周波回路１０１及びアンテナ１０６が、特許請求の範囲各項記載の無線タグ回路素子に無線通信によるアクセスを行うタグアクセス手段を構成する。
【００４５】
なお、上記タグラベル作成装置の制御回路１０２、サーバ２００の制御回路２０１、及びＰＣ３００の制御回路３０３及びは、特に図示はしないが、いわゆるマイクロコンピュータであり、中央演算処理装置であるＣＰＵ、ＲＯＭ、ＲＡＭ等から構成され、ＲＡＭの一時記憶機能を利用しつつＲＯＭに予め記憶されたプログラムに従って所定の処理手順を行うようになっている。
【００４６】
図４は、上記無線タグ回路素子Ｔoの機能的構成を表す機能ブロック図である。なお、図中に示す矢印は信号の流れの一例を示すものであり、信号の流れ方向を限定するものではない。
【００４７】
この図４において、無線タグ回路素子Ｔoは、装置側アンテナ（無線タグラベル作成装置１００のアンテナ１０６やリーダ４００のアンテナ４０１）と無線通信により非接触で信号の送受信を行う上記タグ側アンテナ１５１と、このタグ側アンテナ１５１に接続された上記ＩＣ回路部１５０とを有している。
【００４８】
ＩＣ回路部１５０は、タグ側アンテナ１５１により受信された質問波を整流する整流部１５３と、この整流部１５３により整流された質問波のエネルギを蓄積し駆動電源とするための電源部１５４と、上記タグ側アンテナ１５１により受信された質問波からクロック信号を抽出して制御部１５５に供給するクロック抽出部１５６と、所定の情報信号を記憶し得るメモリ部１５７と、上記タグ側アンテナ１５１に接続された変復調部１５８と、上記整流部１５３、クロック抽出部１５６、及び変復調部１５８等を介して上記無線タグ回路素子Ｔoの作動を制御するための上記制御部１５５とを備えている。
【００４９】
変復調部１５８は、タグ側アンテナ１５１により受信された上記装置側アンテナからの通信信号の復調を行い、また、上記制御部１５５からの返信信号を変調し、タグ側アンテナ１５１より応答波として送信する。
【００５０】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００５１】
クロック抽出部１５６は受信した信号からクロック成分を抽出して制御部１５５にクロックを抽出するものであり、受信した信号のクロック成分の周波数に対応したクロックを制御部１５５に供給する。
【００５２】
図５は、上記サーバ２００の制御回路２０１によって行われる制御手順を表すフローチャートである。
【００５３】
まずステップＳ１０では、制御回路２０１は操作者により作業モードの選択入力があるか否かを判定する。ここで作業モードとは、無線タグラベルＴを作成させるための「ラベル発行」モード、作業工程（作業手順）を進捗させるための「進捗更新」モード、進捗を表示させるための「進捗一覧表示」モード、所望の案件フォルダ（無線タグラベルＴ）を探索するための「リアルサーチ」モード、及び所望の無線タグラベルＴの複製を作成するための「ラベルコピー」モードのことである。この判定は、制御回路２０１が、操作者がＰＣ３００の操作部３０２を用いて入力したモード選択信号を通信回線ＮＷを介して受信したか否かによって行われる。制御回路２０１は作業モードの選択入力があるまで本ステップを繰り返し、選択入力があると判定が満たされて次のステップＳ２０に移る。
【００５４】
ステップＳ２０では、制御回路２０１は上記ステップＳ１０で選択入力された作業モードが「ラベル発行」モードであるか否かを判定する。「ラベル発行」モードが選択されている場合には、判定が満たされてステップＳ１００に移り、無線タグラベルＴの作成を行うラベル発行処理を行う（後述の図６参照）。その後、ステップＳ７０に移る。一方、「ラベル発行」モードが選択されていない場合には、判定が満たされずに次のステップＳ３０に移る。
【００５５】
ステップＳ３０では、制御回路２０１は上記ステップＳ１０で選択入力された作業モードが「進捗更新」モードであるか否かを判定する。「進捗更新」モードが選択されている場合には、判定が満たされてステップＳ２００に移り、作業工程を進捗させる進捗更新処理を行う（後述の図１２参照）。その後、ステップＳ７０に移る。一方、「進捗更新」モードが選択されていない場合には、判定が満たされずに次のステップＳ４０に移る。
【００５６】
ステップＳ４０では、制御回路２０１は上記ステップＳ１０で選択入力された作業モードが「進捗一覧表示」モードであるか否かを判定する。「進捗一覧表示」モードが選択されている場合には、判定が満たされてステップＳ３００に移り、ＰＣ３００に進捗一覧表示を行わせるために進捗情報等を送信する進捗一覧表示処理を行う（後述の図１３参照）。その後、ステップＳ７０に移る。一方、「進捗一覧表示」モードが選択されていない場合には、判定が満たされずに次のステップＳ５０に移る。
【００５７】
ステップＳ５０では、制御回路２０１は上記ステップＳ１０で選択入力された作業モードが「リアルサーチ」モードであるか否かを判定する。「リアルサーチ」モードが選択されている場合には、判定が満たされてステップＳ４００に移り、ＰＣ３００に接続されたリーダ４００を用いて所望の無線タグラベルＴを探索するリアルサーチ処理を行う（後述の図１６参照）。その後、ステップＳ７０に移る。一方、「リアルサーチ」モードが選択されていない場合には、判定が満たされずに次のステップＳ６０に移る。
【００５８】
ステップＳ６０では、制御回路２０１は上記ステップＳ１０で選択入力された作業モードが「ラベルコピー」モードであるか否かを判定する。「ラベルコピー」モードが選択されている場合には、判定が満たされてステップＳ５００に移り、タグラベル作成装置１００で所望の無線タグラベルＴの複製を作成するラベルコピー処理を行う（後述の図１７参照）。その後、ステップＳ７０に移る。一方、「ラベルコピー」モードが選択されていない場合には、判定が満たされずに次のステップＳ７０に移る。
【００５９】
ステップＳ７０では、制御回路２０１は作業を終了するか否かを判定する。具体的には、操作者がＰＣ３００において上記作業を行うためのソフトウェアを閉じたり、ＰＣ３００の電源を落としたりした場合に作業終了と判定する。それ以外の場合には、判定が満たされずに先のステップＳ１０に戻る。一方、上記のような作業終了操作がなされた場合には、判定が満たされて本フローを終了する。
【００６０】
なお、上記フローチャートは本発明を上記フローに示す手順に限定するものではなく、発明の趣旨及び技術的思想を逸脱しない範囲内で手順の追加・削除又は順番の変更等をしてもよい。
【００６１】
図６は、上記ラベル発行処理の詳細手順を表すフローチャートである。
【００６２】
まずステップＳ１１０において、制御回路２０１は発行する無線タグラベルＴが新規案件に対応するものであるか否かを判定する。この判定は、制御回路２０１が、操作者がＰＣ３００の操作部３０２を用いて入力した新規案件である旨の入力信号（例えば画面に表示された「新規登録」ボタンを押すことにより入力される）を通信回線ＮＷを介して受信したか否かによって行われる。入力信号を受信した場合（新規登録である場合）には、判定が満たされて次のステップＳ６００に移る。
【００６３】
ステップＳ６００では、制御回路２０１は新規案件を登録する際の最初の無線タグラベルＴ（以下、「主タグラベルＴ」と記載する）を作成するための主タグラベル発行処理を行う（後述の図７参照）。この主タグラベルＴは、各特許案件に対応するフォルダに取り付けて使用される。なお、フォルダは対応する特許案件の各種書類（依頼書やクレーム、明細書原稿等）を格納するものである（例えば包袋）。そして、本ルーチンを終了する。
【００６４】
一方、上記ステップＳ１１０において入力信号を受信していない場合（新規登録でない場合）には、判定が満たされずにステップＳ７００に移る。このステップＳ７００では、制御回路２０１は既に主タグラベルＴが作成された案件について主タグラベルＴの作成後に作成が予定された無線タグラベルＴ（以下、「従タグラベルＴ」と記載する）を作成するための従タグラベル発行処理を行う（後述の図９参照）。本実施形態では、従タグラベルＴは、各特許案件につき知財担当者が特許事務所からクレーム（特許請求の範囲）を受領した際及び明細書原稿を受領した際に作成され、それぞれクレーム原稿及び明細書原稿に取り付けて使用される。そして、本ルーチンを終了する。
【００６５】
なお、上記フローチャートは本発明を上記フローに示す手順に限定するものではなく、発明の趣旨及び技術的思想を逸脱しない範囲内で手順の追加・削除又は順番の変更等をしてもよい。
【００６６】
図７は、上記主タグラベル発行処理の詳細手順を表すフローチャートである。
【００６７】
まずステップＳ６１０では、制御回路２０１は通信回線ＮＷを介してＰＣ３００の制御回路３０３に制御信号を送信し、表示部３０１に案件情報入力画面を表示させる。案件情報入力画面は知財担当者が新規に特許案件を登録する際に案件情報を入力する画面であり、知財整理番号（出願識別情報）、発明のタイトル、代表発明者、発注する代理人（特許事務所）、登録日等の入力欄を有している。
【００６８】
次のステップＳ６２０では、制御回路２０１は、知財担当者が上記案件情報入力画面を参照しつつＰＣ３００の操作部３０２を用いて入力した案件情報を、通信回線ＮＷを介して入力する。
【００６９】
次のステップＳ６３０では、制御回路２０１は主タグラベルＴの発行を行うか否かを判定する。この判定は、制御回路２０１が、知財担当者がＰＣ３００の操作部３０２を用いて入力した発行指令信号（例えば画面に表示された「発行」ボタンを押すことにより入力される）を通信回線ＮＷを介して受信したか否かによって行われる。発行指令信号を受信しない場合には判定が満たされずに上記ステップＳ６２０に戻る。一方、発行指令信号を受信した場合には判定が満たされて次のステップＳ６４０に移る。
【００７０】
ステップＳ６４０では、制御回路２０１は作成する主タグラベルＴの無線タグ回路素子Ｔoに書き込むタグＩＤ（タグ識別情報）を設定する。この設定は、制御回路２０１が上記データベース２０３に格納されたタグＩＤデータベースから適宜のＩＤを読み出すことにより行う。なお、タグＩＤ設定用のデータベースをデータベース２０３とは別に設けるようにしてもよい。
【００７１】
ステップＳ６５０では、制御回路２０１は作成する主タグラベルＴに印字する印字情報を作成する。本実施形態では、主タグラベルＴにはタグラベルの用途（主タグラベルＴの場合には「フォルダ用」）、知財整理番号、代表発明者、代理人、発明のタイトルが印字されるようになっており（後述の図１１（ａ）参照）、上記印字情報はこれらの情報を含むようになっている。
【００７２】
次のステップＳ６６０では、制御回路２０１は上記ステップＳ６４０で設定したタグＩＤ及び上記ステップＳ６５０で作成した印字情報を、通信回線ＮＷを介してタグラベル作成装置１００の制御回路１０２に送信する。
【００７３】
ステップＳ６７０では、制御回路２０１は、タグラベル作成装置１００において主タグラベルＴの作成が完了した際に制御回路１０２から送信される主タグラベル作成完了信号（後述の図１０中ステップＳ８４０参照）を通信回線ＮＷを介して受信したか否かを判定する。主タグラベル作成完了信号を受信するまで本ステップを繰り返し、受信した場合には判定が満たされて次のステップＳ６８０に移る。
【００７４】
ステップＳ６８０では、制御回路２０１は上記ステップＳ６４０で設定したタグＩＤとステップＳ６２０で入力した案件情報、及びステップＳ６５０で作成した印字情報とを関連付けてデータベース２０３に登録する。
【００７５】
次のステップＳ６９０では、制御回路２０１は作成した主タグラベルＴの作成後に作成が予定される従タグラベルＴ、すなわちクレーム用及び明細書原稿用の２つの従タグラベルＴのタグＩＤを上記ステップＳ６４０と同様にして設定し、これらの従タグラベルＴ用のタグＩＤ（以下、適宜「従タグＩＤ」と記載）を上記ステップＳ６８０で登録した主タグラベルＴ用のタグＩＤ（以下、適宜「主タグＩＤ」と記載）と関連付けて一体的にデータベース２０３に登録する。これにより、主タグＩＤの格納領域に関連付けて従タグＩＤの格納領域をデータベース２０３内に生成することができるようになっている。そして、本ルーチンを終了する。
【００７６】
なお、上記フローチャートは本発明を上記フローに示す手順に限定するものではなく、発明の趣旨及び技術的思想を逸脱しない範囲内で手順の追加・削除又は順番の変更等をしてもよい。
【００７７】
図８は、上記ステップＳ６８０及びステップＳ６９０においてデータベース２０３に格納されたデータ内容（ここではタグＩＤ）を概念的に表す図である。
【００７８】
図８に示すように、データベース２０３は所定のメモリブロック番地に所定のデータを格納する形式が取られている。なお、ここでの番地とは、データベース２０３（例えばハードディスク）のメモリ領域を所定の記憶容量（例えば数Ｋバイト）ごとのメモリ領域（メモリブロック）に区画した場合における当該メモリブロックの場所を示すものである。
【００７９】
図８（ａ）に示すように、本実施形態では主タグＩＤと従タグＩＤとが、データベース２０３におけるＮ番地のメモリブロックＤ（格納領域、一体格納領域）に一体的に関連付けられて登録されている。ここで、図中に示す従１タグＩＤとはクレーム用の従タグラベルＴのタグＩＤ、従２タグＩＤとは明細書原稿用の従タグラベルＴのタグＩＤのことである。
【００８０】
なお、上記では主タグＩＤと従タグＩＤとを同じメモリブロック番地に一体的に格納するようにしたが、これに限られない。すなわち、図８（ｂ）に示すように、主タグＩＤと従タグＩＤとを互いに関連付けられた複数の格納領域に個別にそれぞれ格納するようにしてもよい。ここに示す例では、主タグＩＤをｎ番地のメモリブロックｄ１（格納領域、個別格納領域）、クレーム用の従タグＩＤを２ｎ番地のメモリブロックｄ２（格納領域、個別格納領域）、明細書原稿用の従タグＩＤを３ｎ番地のメモリブロックｄ３（格納領域、個別格納領域）に格納しており、さらにこれらメモリブロックｄ１，ｄ２，ｄ３を関連付ける関連付けデータを適宜のメモリブロックに格納するようになっている。
【００８１】
このように主タグＩＤと従タグＩＤとを個別にそれぞれ格納することにより、上記のように一体的な領域に格納する場合よりも格納場所や格納態様の自由度を広げることができる。
【００８２】
図９は、上記従タグラベル発行処理の詳細手順を表すフローチャートである。
【００８３】
まずステップＳ７１０では、制御回路２０１は登録された案件の中から従タグラベルＴを作成する案件が選択されたか否かを判定する。この判定は、制御回路２０１が、知財担当者がＰＣ３００の操作部３０２を用いて入力した案件選択信号（例えば登録された案件一覧を画面に表示し、知財担当者がその一覧の中から特定の案件を選択ことにより入力される）を通信回線ＮＷを介して受信したか否かによって行われる。案件選択信号を受信するまで本ステップを繰り返し、受信したら判定が満たされて次のステップＳ７２０に移る。
【００８４】
ステップＳ７２０では、制御回路２０１は従タグラベルＴの発行を行うか否かを判定する。この判定は、制御回路２０１が、知財担当者がＰＣ３００の操作部３０２を用いて入力した発行指令信号（例えば画面に表示された「発行」ボタンを押すことにより入力される）を通信回線ＮＷを介して受信したか否かによって行われる。発行指令信号を受信するまで本ステップを繰り返し、受信した場合には判定が満たされて次のステップＳ７３０に移る。
【００８５】
ステップＳ７３０では、制御回路２０１は上記ステップＳ７１０で選択された案件が所定の作業工程まで進捗しているか否かを判定する。具体的には、本実施形態では各案件の作業工程は社内打合せ（工程１）、依頼書発送（工程２）、特許事務所打合せ（工程３）、クレーム受領（工程４）、発明者クレームチェック（工程５）、知財クレームチェック（工程６）、明細書原稿受領（工程７）、発明者原稿チェック（工程８）、知財明細書チェック（工程９）、出願（工程１０）、審査請求（工程１１）の１１工程から構成されており（後述の図１５参照）、このうちのクレーム受領（工程４）又は明細書原稿受領（工程７）の工程まで進捗しているか否かを判定する。クレーム受領（工程４）又は明細書原稿受領（工程７）まで進捗していない場合には、判定が満たされずにステップＳ７４０に移り、ＰＣ３００の制御回路３０３に制御信号を送信して表示部３０１に所定のエラー表示（例えば「クレームを受領していません」「明細書原稿を受領していません」等）を行わせる。一方、クレーム受領（工程４）又は明細書原稿受領（工程７）まで進捗している場合には、判定が満たされて次のステップＳ７５０に移る。
【００８６】
ステップＳ７５０では、制御回路２０１は作成する従タグラベルＴ（作業工程がクレーム受領（工程４）まで進捗している場合にはクレーム用の従タグラベルＴであり、作業工程が明細書原稿受領（工程７）まで進捗している場合には明細書原稿用の従タグラベルＴである。以下同様）の無線タグ回路素子Ｔoに書き込むタグＩＤ（タグ識別情報）を、データベース２０３から読み出し取得する（前述したように、これら従タグＩＤは主タグラベルＴ作成時に予め設定され、データベース２０３の番地ＮのメモリブロックＤに格納されている。図８（ａ）参照）。
【００８７】
次のステップＳ７６０では、制御回路２０１は作成する従タグラベルＴに印字する印字情報を作成する。本実施形態では、従タグラベルＴには上述した主タグラベルＴと同様に、タグラベルの用途（従タグラベルＴの場合には「クレーム用」又は「明細書用」）、知財整理番号、代表発明者、代理人、発明のタイトルが印字されるようになっており（後述の図１１（ｂ）（ｃ）参照）、上記印字情報はこれらの情報を含むようになっている。
【００８８】
次のステップＳ７７０では、制御回路２０１は上記ステップＳ７５０で取得したタグＩＤ及び上記ステップＳ７６０で作成した印字情報を、通信回線ＮＷを介してタグラベル作成装置１００の制御回路１０２に送信する。
【００８９】
ステップＳ７８０では、制御回路２０１は、タグラベル作成装置１００において従タグラベルＴの作成が完了した際に制御回路１０２から送信される従タグラベル作成完了信号（後述の図１０中ステップＳ８４０参照）を通信回線ＮＷを介して受信したか否かを判定する。従タグラベル作成完了信号を受信するまで本ステップを繰り返し、受信した場合には判定が満たされて次のステップＳ７９０に移る。
【００９０】
ステップＳ７９０では、制御回路２０１は上記ステップＳ７５０で取得したタグＩＤと案件情報、及びステップＳ７６０で作成した印字情報とを関連付けてデータベース２０３に登録する。そして、本ルーチンを終了する。
【００９１】
なお、上記ステップＳ７３０は、特許請求の範囲各項記載の作成される無線タグラベルが、複数の作業手順の時間的順序に沿ったものとなっているかどうかを判定する判定手段を構成する。
【００９２】
また、上記フローチャートは本発明を上記フローに示す手順に限定するものではなく、発明の趣旨及び技術的思想を逸脱しない範囲内で手順の追加・削除又は順番の変更等をしてもよい。
【００９３】
図１０はタグラベル作成装置１００の制御回路１０２によって実行される制御手順を表すフローチャートである。
【００９４】
図１０において、まずステップＳ８１０において、制御回路１０２は通信回線ＮＷを介してサーバ２００の制御回路２０１からタグＩＤ及び印字情報を受信したか否かを判定する（図７中ステップＳ６６０、図９中ステップＳ７７０参照）。タグＩＤ及び印字情報を受信するまで本ステップを繰り返し、受信したら判定が満たされて次のステップＳ８２０に移る。
【００９５】
ステップＳ８２０では、制御回路１０２は高周波回路１０１によりアクセス情報を生成して装置側アンテナ１０６を介して無線タグ回路素子Ｔoへ送信し、ＩＣ回路部１５０へ上記ステップＳ８１０で受信したタグＩＤの書き込みを行う。また、上記ステップＳ８１０で受信した印字情報に基づいた印字ヘッド１０５による印字を行う。
【００９６】
次のステップＳ８３０では、制御回路１０２はカッタ１０７を駆動させて上記印字及び無線タグ回路素子Ｔoへの情報書き込みが終了したタグテープ１０３を所定の長さに切断し、１つの無線タグ回路素子Ｔoを備えた無線タグラベルＴ（主タグラベルＴ又は従タグラベルＴ）を作成する。
【００９７】
次のステップＳ８４０では、制御回路１０２は無線タグラベルＴ（主タグラベルＴ又は従タグラベルＴ）の作成が完了した旨を表すラベル作成完了信号を、通信回線ＮＷを介してサーバ２００の制御回路２０１に送信する。そして、本フローチャートを終了する。
【００９８】
なお、上記ステップＳ８４０は、特許請求の範囲各項記載の複数の無線タグラベルのうち１つの無線タグラベルを作成する際、データベース内の１つの無線タグラベルに対応するタグ識別情報の格納領域に関連づけて、複数の無線タグラベルのうち残りの無線タグラベルに対応するタグ識別情報の格納領域をデータベース内に生成するための生成指示信号を出力する領域生成指示手段を構成し、主タグラベルＴを作成する際にステップＳ８４０でサーバ２００に対し送信する主タグラベル作成完了信号が、上記生成指示信号に相当する。
【００９９】
また、上記フローチャートは本発明を上記フローに示す手順に限定するものではなく、発明の趣旨及び技術的思想を逸脱しない範囲内で手順の追加・削除又は順番の変更等をしてもよい。
【０１００】
図１１は、上記制御によりタグラベル作成装置１００で作成された無線タグラベルＴの外観の一例を表す上面図である。なお、図１１（ａ）は主タグラベルＴ、図１１（ｂ）及び（ｃ）は従タグラベルＴの外観を表している。
【０１０１】
これら図１１（ａ）（ｂ）及び（ｃ）に示すように、各無線タグラベルＴの表側（上面）にはタグラベルの用途（主タグラベルＴの場合には「フォルダ用」、従タグラベルＴの場合には「クレーム用」又は「明細書用」）、知財整理番号、代表発明者、代理人、発明のタイトルが印字されている。なお、印字項目は必ずしもこれらに限定する必要はなく、例えばタグラベル用途と知財整理番号のみといったように印字項目を減らしてもよいし、さらに他の情報を印字するようにしてもよい。また、文字だけでなく図形や符号、あるいは色塗りや模様等を付加してもよく、何らかの形で案件を認識・識別できるものであればよい。
【０１０２】
なお、図１１では図示を省略しているが、各無線タグラベルＴは無線タグ情報の送受信を行うためのタグ側アンテナ１５１及びこれに接続され無線タグ情報を記憶可能なＩＣ回路部１５０により構成される無線タグ回路素子Ｔoをそれぞれ内蔵している。
【０１０３】
図１２は、上記進捗更新処理の詳細手順を表すフローチャートである。なお、前述したように各案件の作業工程は社内打合せ（工程１）、依頼書発送（工程２）、特許事務所打合せ（工程３）、クレーム受領（工程４）、発明者クレームチェック（工程５）、知財クレームチェック（工程６）、明細書原稿受領（工程７）、発明者原稿チェック（工程８）、知財明細書チェック（工程９）、出願（工程１０）、審査請求（工程１１）の１１工程から構成されているが、本実施形態では工程１〜４については主タグラベルＴ、工程５〜６についてはクレーム用の従タグラベルＴ、工程７については主タグラベルＴ、工程８〜９については明細書原稿用の従タグラベルＴ、その後の工程１０〜１１については主タグラベルＴを用いて進捗更新を行うようになっている。以下の図１２の説明においては、タグラベルの種類を区別せずに単に無線タグラベルＴとして説明する。
【０１０４】
まずステップＳ２１０では、制御回路２０１は無線タグラベルＴからタグＩＤの読み取りを行ったか否かを判定する。具体的には、制御回路２０１は通信回線ＮＷを介してＰＣ３００の制御回路３０３に制御信号を送信し、リーダ４００の高周波回路４０２及びアンテナ４０１を介し、無線タグラベルＴの無線タグ回路素子ＴoのＩＣ回路部１５０に記憶されたタグＩＤを読み取るための読み取り信号を送信させる。その後、上記読み取り信号に対応し無線タグ回路素子Ｔoから返信されたリプライ信号がアンテナ４０１を介し受信され、高周波回路４０２を介し制御回路３０３へ取り込まれたかどうかを判定する。タグＩＤの読み取りを行うまで本ステップを繰り返し、読み取りを行った場合には判定が満たされて次のステップＳ２２０に移る。
【０１０５】
ステップＳ２２０では、制御回路２０１は、上記ステップＳ２１０においてＰＣ３００の制御回路３０３が無線タグラベルＴから取得したタグＩＤを、通信回線ＮＷを介して受信し取得する。
【０１０６】
次のステップＳ２３０では、制御回路２０１は上記ステップＳ２２０で取得したタグＩＤに基づきデータベース２０３を検索し、当該タグＩＤに対応する特許案件の案件情報（進捗情報）を読み出す。
【０１０７】
次のステップＳ２４０では、制御回路２０１は上記ステップＳ２３０で読み出した案件の進捗状況に基づき、ＰＣ３００の制御回路３０３に制御信号を送信して表示部３０１に次の作業工程に対応する進捗更新画面の表示を行わせる。例えば、現在の進捗状況が特許事務所打合せ（工程３）まで終了している場合、次のクレーム受領（工程４）に対応する更新画面の表示を行う。
【０１０８】
次のステップＳ２５０では、制御回路２０１は、知財担当者が上記更新画面を参照しつつＰＣ３００の操作部３０２を用いて入力した更新情報を、通信回線ＮＷを介して入力する。例えば上記の例では、クレーム受領（工程４）に対応する更新画面において知財担当者が入力したクレーム受領日を入力する。
【０１０９】
次のステップＳ２６０では、制御回路２０１は進捗更新を行うか否かを判定する。この判定は、制御回路２０１が、知財担当者がＰＣ３００の操作部３０２を用いて入力した更新指令信号（例えば画面に表示された「更新」ボタンを押すことにより入力される）を通信回線ＮＷを介して受信したか否かによって行われる。更新指令信号を受信しない場合（更新を行わない場合）には判定が満たされずに上記ステップＳ２５０に戻る。一方、更新指令信号を受信した場合（更新を行う場合）には判定が満たされて次のステップＳ２７０に移る。
【０１１０】
ステップＳ２７０では、制御回路２０１は上記ステップＳ２５０で入力した更新情報をデータベース２０３に登録し、案件情報を更新する。そして、本ルーチンを終了する。
【０１１１】
以上のような制御により、知財担当者が作業を管理する工程１〜４については知財担当者が主タグラベルＴを用いて進捗を更新し、クレーム用の従タグラベルＴを発行した後はその従タグラベルＴをクレーム原稿に取り付けることにより、発明者はクレームチェック終了時にクレーム原稿に取り付けられた従タグラベルＴを用いて進捗を工程５から工程６に更新することができる。同様に、明細書原稿用の従タグラベルＴを発行した後はその従タグラベルＴを明細書原稿に取り付けることにより、発明者は明細書チェック終了時に明細書原稿に取り付けられた従タグラベルＴを用いて進捗を工程８から工程９に更新することができるようになっている。
【０１１２】
なお、上記フローチャートは本発明を上記フローに示す手順に限定するものではなく、発明の趣旨及び技術的思想を逸脱しない範囲内で手順の追加・削除又は順番の変更等をしてもよい。
【０１１３】
図１３は、上記進捗一覧表示処理の詳細手順を表すフローチャートである。なお、この進捗一覧表示は案件の進捗に関わりなく主タグラベルＴ又は従タグラベルＴのいずれを用いても表示することが可能となっている。したがって、以下の図１３の説明においては、タグラベルの種類を区別せずに単に無線タグラベルＴとして説明する。
【０１１４】
まずステップＳ３１０では、制御回路２０１は進捗状態を案件毎に個別に表示するか、または複数の案件について一覧表示するかを判定する。この判定は、制御回路２０１が、知財担当者がＰＣ３００の操作部３０２を用いて入力した一覧表示指令信号（例えば画面に表示された「一覧」ボタンを押すことにより入力される）を通信回線ＮＷを介して受信したか否かによって行われる。一覧表示指令信号を受信した場合には判定が満たされずにステップＳ３２０に移り、知財担当者がＰＣ３００の操作部３０２を用いて入力した担当者識別情報（例えば担当者ＩＤ及びパスワード）を、通信回線ＮＷを介して入力する。そして、次のステップＳ３５０に移る。
【０１１５】
一方、上記ステップＳ３１０で一覧表示指令信号を受信しない場合（すなわち個別表示を行う場合）には、判定が満たされて次のステップＳ３３０に移る。ステップＳ３３０では、制御回路２０１は無線タグラベルＴからタグＩＤの読み取りを行ったか否かを判定する。タグＩＤの読み取りを行うまで本ステップを繰り返し、読み取りを行った場合には判定が満たされて次のステップＳ３４０に移る。
【０１１６】
ステップＳ３４０では、制御回路２０１は、上記ステップＳ３３０においてＰＣ３００の制御回路３０３が無線タグラベルＴから取得したタグＩＤを、通信回線ＮＷを介して受信し取得する。
【０１１７】
次のステップＳ３５０では、制御回路２０１は上記ステップＳ３２０又はステップＳ３４０で取得した複数又は単数のタグＩＤに基づきデータベース２０３を検索し、当該タグＩＤに対応する特許案件の案件情報（進捗情報）を読み出す。
【０１１８】
次のステップＳ３６０では、制御回路２０１は、上記ステップＳ３５０でデータベース２０３から読み出した案件情報（進捗情報）を通信回線ＮＷを介してＰＣ３００の制御回路３０３に送信する。そして、本ルーチンを終了する。
【０１１９】
なお、上記フローチャートは本発明を上記フローに示す手順に限定するものではなく、発明の趣旨及び技術的思想を逸脱しない範囲内で手順の追加・削除又は順番の変更等をしてもよい。例えば、上記では一覧表示をさせる際に知財担当者が担当者識別情報を入力する（ステップＳ３２０参照）ようにしたが、これに限られず、例えば最初にＰＣ３００において担当者識別情報を入力してログインを行ってから各作業手順を開始するようにしてもよい。この場合、上記ステップＳ３２０は不要となる。
【０１２０】
図１４は、上記進捗一覧表示を行う際にＰＣ３００の制御回路３０３によって実行される制御手順を表すフローチャートである。
【０１２１】
まずステップＳ９１０では、制御回路３０３は通信回線ＮＷを介してサーバ２００の制御回路２０１から案件情報（進捗情報を含む）を受信したか否かを判定する。なおこのとき、一覧表示である場合には知財担当者が担当する複数の案件についての案件情報を全て受信し、個別表示である場合にはリーダ４００に読み取らせた無線タグラベルＴに対応する１件の案件情報を受信する。案件情報を受信するまで本ステップを繰り返し、受信したら判定が満たされて次のステップＳ９２０に移る。
【０１２２】
ステップＳ９２０では、制御回路３０３は受信した案件情報に基づき表示部３０１に表示信号を出力し、完遂すべき複数の作業工程の全工程（前述した１１工程）に対応した全手順表示部３１０（後述の図１５参照）を表示させる。
【０１２３】
次のステップＳ９３０では、制御回路３０３は受信した案件情報に基づき表示部３０１に表示信号を出力し、複数の作業工程（前述した１１工程）のうち現在までに完了した作業工程に対応した完了手順表示部３２０（後述の図１５参照）を表示させる。なおこのとき、一覧表示である場合には複数の案件についての案件情報を全て受信し、個別表示である場合にはリーダ４００で読み取った無線タグラベルＴ（無線タグ回路素子Ｔo）のタグＩＤに対応する１件の案件情報を受信する。そして、本フローを終了する。
【０１２４】
なお、上記ステップＳ９２０は、特許請求の範囲各項記載の完遂すべき複数の作業手順の全手順に対応した全手順表示部を表示させるための表示信号を出力する全手順表示信号出力手段を構成し、ステップＳ９３０は、複数の作業手順のうち現在までに完了した作業手順に対応した完了手順表示部を、全手順表示部と対比させて表示するための表示信号を出力する完了手順表示信号出力手段を構成すると共に、現在までに完了した作業手順のうち、作業者による実行が省略され次の手順へスキップされた手順を、それ以外の手順と異なる表示態様で表示するための表示制御信号を出力するスキップ用表示制御手段をも構成する。また、上記１１の工程からなる特許案件の出願が、時間的順序に沿った複数の作業手順により完遂される事象に相当する。
【０１２５】
また、上記フローチャートは本発明を上記フローに示す手順に限定するものではなく、発明の趣旨及び技術的思想を逸脱しない範囲内で手順の追加・削除又は順番の変更等をしてもよい。例えば、上記ではステップＳ９２０とステップＳ９３０とを分けて別個のステップとしたが、これらを一ステップで行うようにしてもよい。
【０１２６】
図１５は上記制御によってＰＣ３００の表示部３０１に表示される進捗一覧表示の一例を表す図である。ここでは、複数の案件を一覧表示した場合を示している。
【０１２７】
図１５において、この例では知財担当者が担当する特許案件は６件あり、各案件について知財整理番号、発明のタイトル、代表発明者、進捗状態、最終工程日、及び上記全手順表示部３１０及び完了手順表示部３２０から構成される進捗グラフがそれぞれ表示されている。
【０１２８】
上記進捗グラフには、特許案件に係る全工程（１１工程）を表す１〜１１までの数字からなる全手順表示部３１０と、この全工程のうち完了した工程について「○」の記号を付した完了手順表示部３２０とが表示されている。すなわち、この図に示す例では、例えば知財整理番号が「２００７−０００２７」である案件の進捗状況は、知財担当者によるクレームチェックまで終了しており、現在特許事務所からの明細書原稿待ちの状態である。なお、完了手順表示部３２０において矢印「→」が表示された工程は、知財担当者による作業の実行が省略され次の工程にスキップされたことを示す。すなわち、例えば上記整理番号「２００７−０００２７」の案件においては、例えば社内打合せ（工程１）に代理人が参加した等により特許事務所打合せ（工程３）が省略されたことを示している。
【０１２９】
また、上記進捗グラフにおいては、完了手順表示部３２０に示すように、複数の作業工程ごとに（本実施形態では工程１〜３、工程４〜６、工程７〜９、工程１０〜１１のそれぞれにおいて）互いに異なる色で「○」が表示されている（工程１０〜１１については図示していないが黒丸となる）。これにより、知財担当者は、複数の作業工程それぞれについて互いに視覚的に明確に区別しつつ進捗状況を認識できるようになっている。
【０１３０】
なお、上記完了手順表示部３２０における完了工程を示す「○」や工程のスキップを示す「→」の表示は、これに限定するものではなく、その他の表示態様を用いてもよい。例えば完了工程を示す「○」についてはその他の記号や文字、図形等でもよく、またスキップを示す「→」については、色違い、文字違い、線違い、記号付加等、それ以外の工程と異なる表示態様であればよい。
【０１３１】
また、上記では完了手順表示部３２０において複数の作業工程ごとに互いに異なる色となるようにしたが、これに限られず、文字違い、線違い、記号付加等、互いに異なる表示態様であればよい。さらには、上記では複数の作業工程ごとに互いに異なる表示態様としたが、これに限られず、案件ごとに表示態様を異ならせてもよい。
【０１３２】
図１６は、上記リアルサーチ処理の詳細手順を表すフローチャートである。このリアルサーチは、知財担当者が所望の特許案件のフォルダを見失った場合などに、知財整理番号を入力してリーダ４００を携帯して複数のフォルダにかざすことにより、該当するフォルダを探索するものである。
【０１３３】
まずステップＳ４１０では、制御回路２０１は通信回線ＮＷを介してＰＣ３００の制御回路３０３に制御信号を送信し、表示部３０１に整理番号入力画面を表示させる。
【０１３４】
次のステップＳ４２０では、制御回路２０１は、知財担当者が上記整理番号入力画面を参照しつつＰＣ３００の操作部３０２を用いて入力した整理番号を、通信回線ＮＷを介して受信したか否かを判定する。受信するまで本ステップを繰り返し、受信した場合には判定が満たされて次のステップＳ４３０に移る。
【０１３５】
ステップＳ４３０では、制御回路２０１は上記ステップＳ４２０で取得した知財整理番号に基づきデータベース２０３を検索し、当該整理番号に対応する特許案件のタグＩＤを読み出す。
【０１３６】
次のステップＳ４４０では、制御回路２０１は無線タグラベルＴ（ここでは主タグラベルＴ。以下同様）からタグＩＤの読み取りを行ったか否かを判定する。タグＩＤの読み取りを行うまで本ステップを繰り返し、読み取りを行った場合には判定が満たされて次のステップＳ４５０に移る。
【０１３７】
ステップＳ４５０では、制御回路２０１は、上記ステップＳ４４０においてＰＣ３００の制御回路３０３が無線タグラベルＴから取得したタグＩＤを、通信回線ＮＷを介して受信し取得する。
【０１３８】
次のステップＳ４６０では、制御回路２０１は、上記ステップＳ４３０でデータベース２０３より取得したタグＩＤと、上記ステップＳ４５０で無線タグラベルＴから取得したタグＩＤとが一致するか否かを判定する。一致しない場合には、上記ステップＳ４４０に戻り、再びタグＩＤの読み取りを行ったか否かを判定する。一方、一致した場合には判定が満たされて次のステップＳ４７０に移る。
【０１３９】
ステップＳ４７０では、制御回路２０１はＰＣ３００の制御回路３０３に制御信号を送信して表示部３０１に該当する無線タグラベルＴを発見した旨の表示（例えば「該当する案件を見つけました」等）を行わせる。なおこのとき、図示しないスピーカを用いて音声による報知を行うようにしてもよい。そして、本フローを終了する。
【０１４０】
なお、上記ではリーダ４００を用いて主タグラベルＴの探索を行う場合を例にとって説明したが、これに限られず、従タグラベルＴの探索を可能としてもよい。これにより、所望の案件のフォルダのみでなく、クレームや明細書原稿を見失った場合でも、知財整理番号を入力してリーダ４００を携帯して該当する原稿を探索することが可能となる。
【０１４１】
また、上記フローチャートは本発明を上記フローに示す手順に限定するものではなく、発明の趣旨及び技術的思想を逸脱しない範囲内で手順の追加・削除又は順番の変更等をしてもよい。
【０１４２】
図１７は、上記ラベルコピー処理の詳細手順を表すフローチャートである。このラベルコピーは、例えば主タグラベルＴの複製を作成してフォルダの複数箇所に分散して取り付けることにより、上記リアルサーチ時のリーダ４００による読み取りの容易化を図る場合等に行うものである。なお、このラベルコピーは主タグラベルＴ又は従タグラベルＴのいずれについても行うことが可能である。したがって、以下の図１７の説明においては、タグラベルの種類を区別せずに単に無線タグラベルＴとして説明する。
【０１４３】
まずステップＳ５１０では、制御回路２０１は無線タグラベルＴからタグＩＤの読み取りを行ったか否かを判定する。タグＩＤの読み取りを行うまで本ステップを繰り返し、読み取りを行った場合には判定が満たされて次のステップＳ５２０に移る。
【０１４４】
ステップＳ５２０では、制御回路２０１は、上記ステップＳ５１０においてＰＣ３００の制御回路３０３が無線タグラベルＴから取得したタグＩＤを、通信回線ＮＷを介して受信し取得する。
【０１４５】
次のステップＳ５３０では、制御回路２０１は上記ステップＳ５２０で取得したタグＩＤに基づきデータベース２０３を検索し、当該タグＩＤに対応する特許案件の案件情報及び印字情報を読み出す。
【０１４６】
次のステップＳ５４０では、制御回路２０１は作成する複製の無線タグラベルＴの無線タグ回路素子Ｔoに書き込むタグＩＤを設定する。この設定は、前述と同様に制御回路２０１が上記データベース２０３に格納されたタグＩＤデータベースから適宜のＩＤを読み出すことにより行う。なお、タグＩＤ設定用のデータベースをデータベース２０３とは別に設けるようにしてもよい。
【０１４７】
次のステップＳ５５０では、制御回路２０１は上記ステップＳ５４０で設定したタグＩＤ及び上記ステップＳ５３０でデータベース２０３から読み出した印字情報を、通信回線ＮＷを介してタグラベル作成装置１００の制御回路１０２に送信する。
【０１４８】
ステップＳ５６０では、制御回路２０１は、タグラベル作成装置１００において無線タグラベルＴの作成が完了した際に制御回路１０２から送信されるタグラベル作成完了信号（図１０中ステップＳ８４０参照）を通信回線ＮＷを介して受信したか否かを判定する。タグラベル作成完了信号を受信するまで本ステップを繰り返し、受信した場合には判定が満たされて次のステップＳ５７０に移る。
【０１４９】
ステップＳ５７０では、制御回路２０１は上記ステップＳ５４０で設定したタグＩＤとデータベース２０３から読み出した案件情報及び印字情報とを関連付けてデータベース２０３に登録する。そして、本ルーチンを終了する。
【０１５０】
なお、上記フローチャートは本発明を上記フローに示す手順に限定するものではなく、発明の趣旨及び技術的思想を逸脱しない範囲内で手順の追加・削除又は順番の変更等をしてもよい。
【０１５１】
以上において、タグラベル作成装置１００の制御回路１０２は、特許請求の範囲各項記載の無線探索装置が主タグラベル又は従タグラベルの無線タグ回路素子を探索しアクセスに成功したとき、その無線タグ回路素子の記憶情報と同等の記憶情報を別の無線タグ回路素子に書き込んだ新たな無線タグラベルを作成するように、搬送手段、印字手段、タグアクセス手段を連携して制御する複製用連携制御手段を構成する。
【０１５２】
以上説明した実施形態においては、時間的順序に沿った複数の作業工程により完遂される特許案件の出願について、ＰＣ３００の制御回路３０３からの表示信号に基づき、複数の作業工程の全工程に対応した全手順表示部３１０の表示が表示部３０１で実行される。また、同様にＰＣ３００の制御回路３０３からの表示信号に基づき、それら全工程のうち現在までに完了した工程に対応した完了手順表示部３２０の表示が上記全手順表示部３１０と対比させた形で表示部３０１で実行される。これにより、それら複数の作業工程の進捗状況を一元管理することができるので、当該特許出願案件の進捗状況を段階的に容易に把握することができる。また進捗状況情報を容易に共有することもできる。
【０１５３】
また、本実施形態では特に、完了手順表示部３２０に時間的順序に沿って表示される現在までに完了した作業工程のうち、作業者による実行が省略され次の工程へスキップされた工程を、それ以外の工程と異なる表示態様(上記実施形態では矢印)で表示する。このように、スキップされた工程を他の工程と異ならせて表示することにより、操作者に対してスキップされたことを視覚的に明確に認識させ、確実に注意喚起をすることができる。
【０１５４】
また、本実施形態では特に、時間的順序に沿った複数の作業工程により完遂される特許案件の出願について、ＰＣ３００の制御回路３０３からの表示信号に基づき、複数の作業工程の全工程に対応した全手順表示部３１０の表示が表示部３０１で実行される。また、無線タグラベルＴより無線通信を介し取得された進捗情報に基づくＰＣ３００の制御回路３０３からの表示信号により、それら全工程のうち現在までに完了した工程に対応した完了手順表示部３２０の表示が上記全手順表示部３１０と対比させた形で表示部３０１で実行される。これにより、上記複数の作業工程に対応した情報を無線タグラベルＴに記憶させておくことで、それら複数の作業工程の進捗状況を、無線タグラベルＴに対する情報読み取りに基づいて表示させることができる。この結果、当該特許案件の進捗状況を段階的に容易に把握することができ、また進捗状況情報を容易に共有することもできる。
【０１５５】
また、本実施形態では特に、ＰＣ３００の制御回路３０３は、複数の作業工程に対応して設けられた複数の無線タグラベルＴ（主タグラベルＴ及び２つの従タグラベルＴ）との情報通信結果に基づき、上記進捗更新処理において最後に通信を行った無線タグラベルＴ（主タグラベルＴ及び２つの従タグラベルＴ）より取得された情報に対応して（すなわち最後に主タグラベルＴ又は従タグラベルＴを用いて更新された進捗情報に対応して）、完了手順表示部３２０の表示を表示部３０１で行う。このように、複数の作業工程に対応した複数の無線タグラベルＴを用意しておくことで、進捗更新処理において最後にどの無線タグラベルＴから情報読み取りを行ったかによって、対応する作業工程が現在行われている最も新しい作業となることから、これに基づき最新の進捗状況を表示させることができる。
【０１５６】
また、本実施形態では特に、ＰＣ３００の制御回路３０３は、複数の特許案件についてそれぞれに対応した複数の完了手順表示部３２０を一覧表示する。これにより、複数の特許案件それぞれについて、複数の作業工程の進捗状況を一元管理し、各事象ごとの進捗状況を段階的に容易に把握することができる。
【０１５７】
また、本実施形態では特に、ＰＣ３００の制御回路３０３は、複数の作業工程毎に、互いに異なる表示態様(本実施形態では色違い)となるように完了手順表示部３２０を表示部３０１で表示する。これにより、複数の作業工程のそれぞれについて、互いに視覚的に明確に区別しつつ操作者に認識させることができる。
【０１５８】
なお、本発明は、上記実施形態に限られるものではなく、その趣旨及び技術的思想を逸脱しない範囲内で種々の変形が可能である。以下、そのような変形例を順を追って説明する。
【０１５９】
（１）タグＩＤが属性コードを含む場合
上記実施形態では特に記載しなかったが、主タグラベルＴの作成時に主タグＩＤ及び従タグＩＤの設定を行う際（図７中ステップＳ６４０及びステップＳ６９０参照）、主タグＩＤであるか従タグＩＤであるかの属性コードをそれぞれ含むように、タグＩＤを設定するようにしてもよい。このように、主タグＩＤか従タグＩＤかを区別する属性コードを設けることで、タグＩＤのうちその部分だけを識別するだけで主タグラベルＴであるか従タグラベルＴであるかを容易に判別することができる。またタグＩＤのうち、属性コード部分以外は同一基準・態様で付与することが可能となり、タグＩＤ管理の簡素化・容易化を図ることもできる。
【０１６０】
（２）進捗グラフの表示のバリエーション
上記実施形態では、ＰＣ３００の表示部３０１で行う進捗一覧表示の進捗グラフにおいて、完了した工程を示す完了手順表示部３２０を「○」の記号で構成するようにしたが、これに限られない。以下、この表示のバリエーションを示す。
【０１６１】
図１８は、全手順表示部３１０及び完了手順表示部３２０から構成される進捗グラフの変形例を表す図である。なお、この図１８では簡略化のために各案件の全工程を５工程として図示している。
【０１６２】
例えば図１８（ａ）に示すように、完了した工程を示す完了手順表示部３２０を工程数が挿入された略長方形の描画で構成してもよい。なお、ここでは工程ごとに互いに異なる色となるように表示している。また、スキップする工程については前述の図１５と同様に矢印「→」で表示している。
【０１６３】
また例えば、図１８（ｂ）に示すように、全工程に亘って延設された略長方形状の全手順表示部３１０の中を、現在進行中の工程を示す略長方形状の完了手順表示部３２０がスライドすることにより、進捗状況を表すようにしてもよい。
【０１６４】
また例えば、図１８（ｃ）に示すように、進捗状況を分数で表示するようにしてもよい。この場合、全手順表示部３１０は分母の数字（スラッシュを含む）であり、完了手順表示部３２０は分子の数字となる。さらに、図１８（ｄ）に示すように、自動車のスピードメータ状の表示としてもよい。この場合、略矢印状の完了手順表示部３２０は略半円状の全手順表示部３１０の左端から右端に向かって回転するように移動する。
【０１６５】
また、上記実施形態では、各工程の期限については特に考慮しなかったが、完了手順表示部３２０に表示される現在までに完了した作業工程のうち、予め定められた完了期限が既に到来したものを、それ以外の手順と異なる表示態様で表示するようにしてもよい。
【０１６６】
図１９は、本変形例において進捗一覧表示を行う際にＰＣ３００の制御回路３０３によって実行される制御手順を表すフローチャートであり、前述の図１４に対応する図である。
【０１６７】
まずステップＳ９１０では、制御回路３０３は通信回線ＮＷを介してサーバ２００の制御回路２０１から案件情報（進捗情報を含む）を受信したか否かを判定する。なお、この案件情報には各作業工程に対し予め定められた完了期限情報（出願期限等）が含まれている。案件情報を受信するまで本ステップを繰り返し、受信したら判定が満たされて次のステップＳ９２０に移る。
【０１６８】
ステップＳ９２０では、制御回路３０３は受信した案件情報に基づき表示部３０１に表示信号を出力し、完遂すべき複数の作業工程の全工程に対応した全手順表示部３１０を表示させる。
【０１６９】
次のステップＳ９２５では、制御回路３０３は上記ステップＳ９１０で受信した特許案件の進捗情報と完了期限情報とを比較し、完了期限を途過した工程が存在するか否かを判定する。期限を途過した工程がない場合には、判定が満たされずにステップＳ９３０に移り、制御回路３０３は受信した案件情報に基づき表示部３０１に表示信号を出力し、複数の作業工程のうち現在までに完了した作業工程に対応した完了手順表示部３２０を表示させる。そして、本フローを終了する。
【０１７０】
一方、上記ステップＳ９２５で期限を途過した工程がある場合には、判定が満たされてステップＳ９４０に移る。ステップＳ９４０では、制御回路３０３は完了期限を途過した工程がそれ以外の工程と表示態様(色違い、文字違い、線違い、記号付加等)が異なるように、受信した案件情報に基づき表示部３０１に表示信号を出力し、複数の作業工程のうち現在までに完了した作業工程に対応した完了手順表示部３２０を表示させる。そして、本フローを終了する。
【０１７１】
なお、上記ステップＳ９２５は、特許請求の範囲各項記載の完了手順表示部に表示される現在までに完了した作業手順のうち、予め定められた完了期限が既に到来したものを、それ以外の手順と異なる表示態様で表示するための表示制御信号を出力する期限管理用表示制御手段を構成する。
【０１７２】
また、上記フローチャートは本発明を上記フローに示す手順に限定するものではなく、発明の趣旨及び技術的思想を逸脱しない範囲内で手順の追加・削除又は順番の変更等をしてもよい。
【０１７３】
図２０は上記制御によってＰＣ３００の表示部３０１に表示される進捗一覧表示の一例を表す図である。この例では、知財整理番号「２００７−０００３３」の案件の依頼書発送（工程２）が完了期限を途過しており、このため完了手順表示部３２０のうち上記案件の工程２に対応する表示部３３０がそれ以外の工程と異なる表示態様（この例では白黒反転）で表示されている。
【０１７４】
以上説明した変形例によれば、期限切れとなったものを他と異ならせて表示することにより、知財担当者に対して視覚的に明確に認識させ、確実に注意喚起をすることができる。
【０１７５】
また、上記実施形態では特に記載しなかったが、ＰＣ３００の表示部３０１に表示された特許進捗一覧表示から、操作者の選択指示入力に対応したものを抽出して選択的に表示できるようにしてもよい。
【０１７６】
図２１は、本変形例において進捗一覧表示を行う際にＰＣ３００の制御回路３０３によって実行される制御手順を表すフローチャートであり、前述の図１４等に対応する図である。
【０１７７】
ステップＳ９１０〜ステップＳ９３０は前述の図１４と同等であるので説明を省略する。
【０１７８】
次のステップＳ９５０では、制御回路３０３は進捗一覧表示を抽出して表示するか否かを判定する。この判定は、制御回路３０３が、操作者がＰＣ３００の操作部３０２を用いて入力した選択指示入力信号（例えば画面に表示された「抽出表示」ボタンを押すことにより入力される）を受信したか否かによって行われる。選択指示入力信号を受信しない場合には、本フローを終了する。一方、受信した場合には判定が満たされて次のステップＳ９６０に移り、操作者がＰＣ３００の操作部３０２を用いて入力した選択指示情報（例えば自分の担当する案件、所定の工程まで進捗した案件等）を入力する。そして、次のステップＳ９７０に移る。
【０１７９】
ステップＳ９７０では、制御回路３０３は上記ステップＳ９６０で入力した選択指示情報に基づき表示部３０１に表示信号を出力し、特許進捗一覧を選択的に表示させる。そして、本フローを終了する。
【０１８０】
なお、上記ステップＳ９７０は、特許請求の範囲各項記載の全手順表示部又は完了手順表示部の表示のうち、操作者の選択指示入力に対応したものを抽出して選択的に表示するための表示制御信号を出力する抽出表示制御手段を構成する。
【０１８１】
また、上記フローチャートは本発明を上記フローに示す手順に限定するものではなく、発明の趣旨及び技術的思想を逸脱しない範囲内で手順の追加・削除又は順番の変更等をしてもよい。
【０１８２】
図２２は上記制御によって行われる進捗一覧表示の抽出の一例を表す図である。この図２２において、図２２（ａ）は抽出表示を行う前の進捗一覧表示、図２２（ｂ）は図２２（ａ）に示す進捗一覧表示の状態から知財整理番号「２００７−００００５」を選択して抽出した表示の一例（代表発明者やタイトル等他の項目で抽出してもよい）、図２２（ｃ）は図２２（ａ）に示す進捗一覧表示の状態から特許事務所打合せ（工程３）を終えた案件を選択して抽出した表示の一例を示している。
【０１８３】
以上説明した変形例によれば、操作者の意図に応じた案件又は作業工程等を特にピックアップして余分な表示を除去した状態で表示できるので、利便性を向上することができる。
【０１８４】
（３）その他
上記実施形態では、各案件の進捗が全工程１１項目のうちクレーム受領（工程４）及び明細書原稿受領（工程７）に進んだ際に従タグラベルＴを作成する場合を例にとって説明したが、これに限られない。例えば、各工程ごとに従タグラベルＴを作成するようにしてもよい。
【０１８５】
また、上記実施形態では作業工程を１１項目としたが、これに限定するものではなく、適宜項目を置換又は付加等してもよい。例えば、上記では特許事務所よりクレームと明細書原稿を別々に受領するようにしたが、まとめて特許明細書として受領するようにしてもよい。また例えば、上記では作業工程を審査請求までとしているが、拒絶理由通知、意見書又は補正書提出、拒絶査定不服審判請求等のその後の工程を加えてもよい。
【０１８６】
また、上記では、進捗表示装置としてのＰＣ３００を特許案件の進捗管理を行う特許進捗管理システムに適用した場合を例にとって説明したが、これに限られない。すなわち、例えば種々の稟議書の処理管理、固定資産の取得から廃棄までの進捗管理（見積もり、申請書、伝票、納品書、検収、廃棄申請等）、プロジェクトにおける複数のワークフローの管理、さらには工事現場における工程管理等、複数の作業手順により完遂される事象の進捗状況を管理するシステムであれば、他のシステムにも適用可能である。
【０１８７】
また、以上においては、無線タグラベルＴの無線タグ回路素子Ｔoとリーダ４００のアンテナ４０１との間で行われる無線通信について特に説明しなかったが、例えばＵＨＦ帯を用いた電波通信により情報送受信を行ってもよいし、リーダ４００のアンテナ４０１及び無線タグ回路素子Ｔo側のタグ側アンテナ１５１としてコイル状のループアンテナを用い、ＨＦ帯を用いて磁気誘導（電磁誘導、磁気結合、その他電磁界を介して行われる非接触方式を含む）により情報送受信を行うようにしてもよい。
【０１８８】
また、以上においては、印字及び無線タグ回路素子Ｔoへのアクセス（書き込み）の終了したタグテープ１０３をカッタ１０７で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１０７で切断しなくても、タグテープ１０３が排出口から排出されてきた後にラベル台紙（アクセス済みの無線タグ回路素子Ｔoが備えられかつ対応する印字がなされたもの）のみをテープから剥がして無線タグラベルＴを作成しても良く、本発明はこのようなものに対しても適用できる。
【０１８９】
さらに、以上は、タグテープ１０３がリール部材の周りに巻回されてタグテープロール１０４（又はタグテープロール１０４を備えたカートリッジ）を構成し、このロール１０４からタグテープ１０３が繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置側のカートリッジホルダに装着して、上記収納部から移送、搬送して印字及び書き込みを行い無線タグラベルＴを作成するようにしてもよい。
【０１９０】
さらには上記ロールを直接タグラベル作成装置側に着脱可能に装着する構成や、長尺平紙状あるいは短冊状のテープやシートをタグラベル作成装置外より１枚ずつ所定のフィーダ機構によって移送しタグラベル作成装置内へ供給する構成も考えられ、さらにはタグテープロール１０４（又はこれを備えたカートリッジ）のようなタグラベル作成装置本体側に着脱可能なものにも限られず、装置本体側に着脱不能のいわゆる据え付け型あるいは一体型としてタグテープロール１０４を設けることも考えられる。この場合も同様の効果を得る。
【０１９１】
また、以上においては、タグテープに直接印字を行う方式（いわゆるノンラミネートタイプ）であったが、これに限られず、無線タグ回路素子Ｔoを備えたタグテープ１０３とは別のカバーフィルム（被印字媒体）に印字を行ってこれらを貼り合わせる方式（いわゆるラミネートタイプ）に本発明を適用してもよい。
【０１９２】
また、以上既に述べた以外にも、上記実施形態や各変形例による手法を適宜組み合わせて利用しても良い。
【０１９３】
その他、一々例示はしないが、本発明は、その趣旨を逸脱しない範囲内において、種々の変更が加えられて実施されるものである。
【図面の簡単な説明】
【０１９４】
【図１】本実施形態のタグラベル作成装置を備えた特許進捗管理システムを表すシステム構成図である。
【図２】特許進捗管理システムのシステム構成を表すシステム構成図である。
【図３】タグラベル作成装置の詳細構成を表す構成図である。
【図４】無線タグ回路素子の機能的構成を表す機能ブロック図である。
【図５】サーバの制御回路によって行われる制御手順を表すフローチャートである。
【図６】ラベル発行処理の詳細手順を表すフローチャートである。
【図７】主タグラベル発行処理の詳細手順を表すフローチャートである。
【図８】データベースに格納されたデータ内容を概念的に表す図である。
【図９】従タグラベル発行処理の詳細手順を表すフローチャートである。
【図１０】タグラベル作成装置の制御回路によって実行される制御手順を表すフローチャートである。
【図１１】タグラベル作成装置で作成された主タグラベル及び従タグラベルの外観の一例を表す上面図である。
【図１２】進捗更新処理の詳細手順を表すフローチャートである。
【図１３】進捗一覧表示処理の詳細手順を表すフローチャートである。
【図１４】進捗一覧表示を行う際にＰＣの制御回路によって実行される制御手順を表すフローチャートである。
【図１５】ＰＣの表示部に表示される進捗一覧表示の一例を表す図である。
【図１６】リアルサーチ処理の詳細手順を表すフローチャートである。
【図１７】ラベルコピー処理の詳細手順を表すフローチャートである。
【図１８】全手順表示部及び完了手順表示部から構成される進捗グラフの変形例を表す図である。
【図１９】完了期限が既に到来したものをそれ以外の手順と異なる表示態様で表示する変形例において、進捗一覧表示を行う際にＰＣの制御回路によって実行される制御手順を表すフローチャートである。
【図２０】完了期限が既に到来したものをそれ以外の手順と異なる表示態様で表示する変形例において、ＰＣの表示部に表示される進捗一覧表示の一例を表す図である。
【図２１】特許進捗一覧表示から操作者の選択指示入力に対応したものを抽出して選択的に表示する変形例において、ＰＣの制御回路によって実行される制御手順を表すフローチャートである。
【図２２】特許進捗一覧表示から操作者の選択指示入力に対応したものを抽出して選択的に表示する変形例において、進捗一覧表示の抽出の一例を表す図である。
【符号の説明】
【０１９５】
１００            タグラベル作成装置
１０１            高周波回路（タグアクセス手段）
１０２            制御回路（複製用連携制御手段）
１０３            タグテープ（タグ媒体）
１０５            印字ヘッド（印字手段）
１０６            アンテナ（タグアクセス手段）
１０９            搬送装置（搬送手段）
１５０            ＩＣ回路部
１５１            タグ側アンテナ
２０３            データベース
３００            ＰＣ（進捗表示装置）
３１０            全手順表示部
３２０            完了手順表示部
４００            リーダ（無線探索装置、読み取り装置）
Ｄ                メモリブロック（格納領域、一体格納領域）
ｄ１，ｄ２，ｄ３  メモリブロック（格納領域、個別格納領域）
ＰＳ              特許進捗管理システム（書類処理進捗管理システム）
Ｔ                無線タグラベル
Ｔo               無線タグ回路素子
【図１】
0004984156.tif 000002
【図２】
0004984156.tif 000003
【図３】
0004984156.tif 000004
【図４】
0004984156.tif 000005
【図５】
0004984156.tif 000006
【図６】
0004984156.tif 000007
【図７】
0004984156.tif 000008
【図８】
0004984156.tif 000009
【図９】
0004984156.tif 000010
【図１０】
0004984156.tif 000011
【図１１】
0004984156.tif 000012
【図１２】
0004984156.tif 000013
【図１３】
0004984156.tif 000014
【図１４】
0004984156.tif 000015
【図１５】
0004984156.tif 000016
【図１６】
0004984156.tif 000017
【図１７】
0004984156.tif 000018
【図１８】
0004984156.tif 000019
【図１９】
0004984156.tif 000020
【図２０】
0004984156.tif 000021
【図２１】
0004984156.tif 000022
【図２２】
0004984156.tif 000023